(57)【要約】【課題】  マスタイメージならびに運用中に発生する差分情報を用い、障害発生時等に、オペレーティングシステムとアプリケーションの迅速なインストール方法を提供する。【解決手段】  差分情報管理エージェント１４はＯＳ差分情報１５とＡＰ差分情報１６を採取し、差分情報管理エージェント２４はＯＳ差分情報２５とＡＰ差分情報２６を採取する。差分情報管理マネージャ３４は各差分情報を受信して保存し、ＯＳ差分情報１５とＯＳ差分情報２５とを比較し、共通なＯＳ共通差分情報３５１と計算機１に固有なＯＳ固有差分情報３５２と計算機２に固有なＯＳ固有差分情報３５３とに分け、ＯＳマスタイメージ３５にＯＳ共通差分情報３５１を反映してＯＳ更新イメージ３７を作成する。計算機１で何らかの障害が発生するとＯＳ更新イメージ３７にＯＳ固有差分情報３５２を反映してＯＳイメージ３９を作成し、計算機１に配布する。【選択図】      図１
2006011781.tif 000002
【特許請求の範囲】
【請求項１】
配布装置と複数の配布対象装置をネットワークで接続したシステムのインストール方式であって、
前記配布対象装置は、
前記配布装置から配布されたソフトウェアの初期インストールからの差分情報を登録する手段と、
前記差分情報を前記配布装置に送信する手段と、
前記配布装置から配布された配布用マスタファイルを受信してインストールする手段とを備え、
前記配布装置は、
配布ソフトウェアのマスタファイルを保持する手段と、
前記配布対象装置から差分情報を受信して保持する手段と、
前記マスタファイルに前記差分情報を反映して配布用マスタファイルを作成する手段と、前記配布用マスタファイルを前記配布対象装置に配布する手段とを備える、
ことを特徴とするインストール方式。
【請求項２】
前記配布装置は、
複数の前記配布対象装置から受信した差分情報を複数の前記配布対象装置に共通の差分情報とそれぞれの前記配布対象装置に固有の差分情報とに分ける手段と、
前記マスタファイルに前記共通の差分情報を反映して更新マスタファイルを作成する手段と、
前記更新マスタファイルに前記固有の差分情報を反映して配布用マスタファイルを作成する手段とを備える、
ことを特徴とする請求項１記載のインストール方式。
【請求項３】
配布装置と複数の配布対象装置をネットワークで接続したシステムのインストール方法であって、
前記配布対象装置は、
前記配布装置から配布された配布ソフトウェアの初期インストールからの差分情報を登録し、
前記差分情報を前記配布装置に送信し、
前記配布装置は、
配布ソフトウェアのマスタファイルを保持する手段と、
前記配布対象装置から差分情報を受信して保持し、
記憶手段に格納されている配布ソフトウェアのマスタファイルに前記差分情報を反映して配布用マスタファイルを作成し、
前記配布用マスタファイルを前記配布対象装置に配布し、
前記配布対象装置は、
前記配布装置から配布された配布用マスタファイルを受信してインストールする、
ことを特徴とするインストール方法。
【請求項４】
前記配布装置は、
複数の前記配布対象装置から受信した差分情報を複数の前記配布対象装置に共通の差分情報とそれぞれの前記配布対象装置に固有の差分情報とに分け、
前記マスタファイルに前記共通の差分情報を反映して更新マスタファイルを作成し、
前記更新マスタファイルに前記固有の差分情報を反映して配布用マスタファイルを作成する、
ことを特徴とする請求項３記載のインストール方法。
【請求項５】
配布ソフトウェアのマスタファイルを保持する手段と、
配布対象装置から差分情報を受信して保持する手段と、
前記マスタファイルに前記差分情報を反映して配布用マスタファイルを作成する手段と、前記配布用マスタファイルを前記配布対象装置に配布する手段とを備える、
ことを特徴とする配布装置。
【請求項６】
複数の前記配布対象装置から受信した差分情報を複数の前記配布対象装置に共通の差分情報とそれぞれの前記配布対象装置に固有の差分情報とに分ける手段と、
前記マスタファイルに前記共通の差分情報を反映して更新マスタファイルを作成する手段と、
前記更新マスタファイルに前記固有の差分情報を反映して配布用マスタファイルを作成する手段とを備える、
ことを特徴とする請求項５記載の配布装置。
【請求項７】
配布装置に、
配布対象装置から差分情報を受信して保持する機能、
記憶手段に格納されている配布ソフトウェアのマスタファイルに前記差分情報を反映して配布用マスタファイルを作成する機能、
前記配布用マスタファイルを前記配布対象装置に配布する機能、
を実現させるためのプログラム。
【請求項８】
複数の前記配布対象装置から受信した差分情報を複数の前記配布対象装置に共通の差分情報とそれぞれの前記配布対象装置に固有の差分情報とに分ける機能、
前記マスタファイルに前記共通の差分情報を反映して更新マスタファイルを作成する機能、
前記更新マスタファイルに前記固有の差分情報を反映して配布用マスタファイルを作成する機能、
を実現させるための請求項７記載のプログラム。
【発明の詳細な説明】
【技術分野】
【０００１】
本発明は、インストール方式およびインストール方法ならびに配布装置およびそのプログラムに関し、特に、マスタイメージならびに運用中に発生する差分情報を用いて迅速なインストールを行うインストール方式およびインストール方法ならびに配布装置およびそのプログラムに関する。
【背景技術】
【０００２】
特許文献１には、入力装置から入力される文字列に基づいて、システムコマンド文字列を検索し、それ以降に入力される文字列により変更対象ファイルのファイル名を特定し、このファイル名により特定された変更対象ファイルの設定変更情報を自動的に記憶すると共に、再インストールの際に、記憶した変更対象ファイルの設定変更情報を読み出して、変更対象ファイルのファイル名により、再インストールされた各種ファイルの設定情報を変更する、コンピュータの設定変更情報の自動取得および変更方法が記載されている。
【０００３】
また、特許文献２には、ネットワークを介して複数の受信側コンピュータへ、各受信側コンピュータで用いるソフトウェアを配信するシステムであって、元のソフトウェアをバージョンアップする際に、最新バージョンと各受信側コンピュータでのバージョンとを比較して、その対象ソフトウェアがどの受信側コンピュータにインストールされるべきか判別し、さらに各受信側コンピュータ別にインストールするソフトウェアに必要なカスタマイズ情報を差分の情報として管理しておき、実際の配信時には、対象ソフトウェアの共通部分と差分部分とを組み合わせることにより各受信側コンピュータ毎のソフトウェアを作成し、バージョンアップが必要な受信側コンピュータだけに配信を行う構成とする、ソフトウェア配信システムとそれに用いるプログラムを記録した記録媒体が記載されている。
【０００４】
【特許文献１】特開２００３−９９２６７号公報
【特許文献２】特開平１１−２７２４７１号公報
【発明の開示】
【発明が解決しようとする課題】
【０００５】
しかしながら、上述した背景技術では、以下のような問題点がある。
【０００６】
すなわち、特許文献１では、コンピュータに再インストールした後に、記憶していた設定変更情報を用いて設定情報を変更しなければならないことである。コンピュータが複数存在する場合には設定情報の変更を個々に行わなければならない。
【０００７】
また、特許文献２では、各ＰＣでインストール後に行った設定更新情報を保持管理していないため、配信されたソフトウェアをインストールした後に各ＰＣで各々設定更新作業を行わなければならない。
【０００８】
このように、インストールした後に個々に設定更新作業を行わなければならないので、時間がかかり煩わしいということである。
【０００９】
本発明の目的は、上記の問題点を解決し、オペレーティングシステムおよびアプリケーションの構成情報そのものに変化が発生した場合や構成情報ファイルの追加／削除があった場合に配布手段を備えるマネージャ側でそれらの変更情報を管理して配布ファイルに反映させて迅速なインストールを行うインストール方式およびインストール方法ならびに配布装置およびそのプログラムを提供することにある。
【課題を解決するための手段】
【００１０】
本願第１の発明のインストール方式は、配布装置と複数の配布対象装置をネットワークで接続したシステムのインストール方式であって、前記配布対象装置は、前記配布装置から配布されたソフトウェアの初期インストールからの差分情報を登録する手段と、前記差分情報を前記配布装置に送信する手段と、前記配布装置から配布された配布用マスタファイルを受信してインストールする手段とを備え、前記配布装置は、配布ソフトウェアのマスタファイルを保持する手段と、前記配布対象装置から差分情報を受信して保持する手段と、前記マスタファイルに前記差分情報を反映して配布用マスタファイルを作成する手段と、前記配布用マスタファイルを前記配布対象装置に配布する手段とを備える。
【００１１】
本願第２の発明のインストール方式は、第１の発明において前記配布装置は、複数の前記配布対象装置から受信した差分情報を複数の前記配布対象装置に共通の差分情報とそれぞれの前記配布対象装置に固有の差分情報とに分ける手段と、前記マスタファイルに前記共通の差分情報を反映して更新マスタファイルを作成する手段と、前記更新マスタファイルに前記固有の差分情報を反映して配布用マスタファイルを作成する手段とを備える。
【００１２】
本願第３の発明のインストール方法は、配布装置と複数の配布対象装置をネットワークで接続したシステムのインストール方法であって、前記配布対象装置は、前記配布装置から配布された配布ソフトウェアの初期インストールからの差分情報を登録し、前記差分情報を前記配布装置に送信し、前記配布装置は、配布ソフトウェアのマスタファイルを保持する手段と、前記配布対象装置から差分情報を受信して保持し、記憶手段に格納されている配布ソフトウェアのマスタファイルに前記差分情報を反映して配布用マスタファイルを作成し、前記配布用マスタファイルを前記配布対象装置に配布し、前記配布対象装置は、前記配布装置から配布された配布用マスタファイルを受信してインストールする、ことを特徴とする。
【００１３】
本願第４の発明のインストール方法は、第３の発明において前記配布装置は、複数の前記配布対象装置から受信した差分情報を複数の前記配布対象装置に共通の差分情報とそれぞれの前記配布対象装置に固有の差分情報とに分け、前記マスタファイルに前記共通の差分情報を反映して更新マスタファイルを作成し、前記更新マスタファイルに前記固有の差分情報を反映して配布用マスタファイルを作成する、ことを特徴とする。
【００１４】
本願第５の発明の配布装置は、配布ソフトウェアのマスタファイルを保持する手段と、配布対象装置から差分情報を受信して保持する手段と、前記マスタファイルに前記差分情報を反映して配布用マスタファイルを作成する手段と、前記配布用マスタファイルを前記配布対象装置に配布する手段とを備える。
【００１５】
本願第６の発明の配布装置は、第５の発明において複数の前記配布対象装置から受信した差分情報を複数の前記配布対象装置に共通の差分情報とそれぞれの前記配布対象装置に固有の差分情報とに分ける手段と、前記マスタファイルに前記共通の差分情報を反映して更新マスタファイルを作成する手段と、前記更新マスタファイルに前記固有の差分情報を反映して配布用マスタファイルを作成する手段とを備える。
【００１６】
本願第７の発明のプログラムは、配布装置に、配布対象装置から差分情報を受信して保持する機能、記憶手段に格納されている配布ソフトウェアのマスタファイルに前記差分情報を反映して配布用マスタファイルを作成する機能、前記配布用マスタファイルを前記配布対象装置に配布する機能、を実現させる。
【００１７】
本願第８の発明のプログラムは、第７の発明において複数の前記配布対象装置から受信した差分情報を複数の前記配布対象装置に共通の差分情報とそれぞれの前記配布対象装置に固有の差分情報とに分ける機能、前記マスタファイルに前記共通の差分情報を反映して更新マスタファイルを作成する機能、前記更新マスタファイルに前記固有の差分情報を反映して配布用マスタファイルを作成する機能、を実現させる。
【発明の効果】
【００１８】
本発明の効果は、迅速なインストールを行うことができることである。
【００１９】
その理由は、配布対象装置から受信した差分情報をマスタファイルに反映して配布用マスタファイルを作成し、配布対象装置に配布するようにしたからである。
【発明を実施するための最良の形態】
【００２０】
本発明は、計算機上で既にオペレーティングシステム（ＯＳ）ソフトウェアおよびアプリケーション（ＡＰ）ソフトウェアが稼動している環境において、あらかじめ用意されたオペレーティングシステムとアプリケーションのマスタイメージならびに運用中にそれらから発生する差分情報を用い、なんらかの障害発生時に、迅速なオペレーティングシステムとアプリケーションの再インストール方法を提唱するものである。
【００２１】
より具体的には、複数の計算機がネットワークにて接続され、特定の計算機（配布装置と称す）が特定の計算機を除く他の計算機（配布対象装置と称す）にソフトウェアを配布するシステムを想定する。このシステムにおいて、各配布対象装置は初期インストール状態からの差分情報を採取する。配布装置は複数の配布対象装置間で発生する差分情報を比較し、共通な差分情報とそうでない固有な差分情報とに分ける。共通な差分情報をマスタイメージに反映させマスタ更新イメージを作成する。そして、ある配布対象装置で再インストールが必要になった時に、マスタ更新イメージに該配布対象装置固有な差分情報を反映させて、運用中の該配布対象装置上で構成されていたソフトウェアの複製と等価であるイメージファイル（オブジェクトバイナリ（実行形式）ファイル）を作成し、該配布対象装置に配布（送信）する。該配布対象装置は配布（送信）されたソフトウェアをインストールする。
【００２２】
このようにして、再インストール時に必要となる差分情報の反映処理の軽減を図り迅速な再インストールを行なうことができる。
【００２３】
次に、本発明を実施するための最良の形態について、図面を参照して詳細に説明する。
【００２４】
先ず、図１〜図５，図７〜図８および図１０を用いて、本発明の第１の実施例の構成について説明する。
図１は本発明の第１の実施例の構成を示す図である。
図２は差分情報管理エージェント／マネージャの構成を示す図である。
図３は計算機１および計算機２を説明する図である。
図４は計算機３を説明する図である。
図５は共通差分情報と固有差分情報を説明する図である。
図７はＯＳ更新イメージとＡＰ更新セットを説明する図である。
図８はＯＳ更新イメージとＡＰ更新セットを説明する図である。
図１０はＯＳイメージとＡＰセットを説明する図である。
【００２５】
図１を参照すると、本発明の第１の実施例は、計算機１と、計算機２と、計算機３とを備えている。計算機１と計算機２と計算機３とは、ネットワークで接続されている。なお、本例では、計算機３が配布装置であり、計算機１と計算機２とが配布対象装置である。
【００２６】
計算機１は、プログラム制御で動作し、主記憶装置１１と、中央演算処理装置１２と、外部記憶装置１３とを含み、差分情報管理エージェント１４を有している。また、計算機１は、計算機３から配布（送信）されたソフトウェア（ＯＳあるいはＡＰ）を受信してインストールするインストール手段（図示せず）を有している。
【００２７】
主記憶装置１１は、中央演算処理装置１２によって実行されるプログラムや各種データ等を格納する。
【００２８】
中央演算処理装置１２は、計算機１全体を制御する。
【００２９】
外部記憶装置１３は、主記憶装置１１の補助記憶として機能し、例えば磁気ディスク装置等である。
【００３０】
差分情報管理エージェント１４は、図２に示すように、差分情報管理手段１４１と、ＯＳ差分情報取得手段１４２と、ＡＰ差分情報取得手段１４３と、差分情報送信手段１４４とを備えている。
【００３１】
差分情報管理手段１４１は、計算機１における差分情報（初期インストール後に実行された設定変更等の情報で、ＯＳに関する変更情報とＡＰに関する変更情報とを含む）を外部記憶装置１３等に登録して管理する。ＯＳに関する変更情報をＯＳ差分情報と称し、ＯＳインストール後にＯＳを更新した情報、例えばＯＳ設定情報や追加／削除されたファイル情報やパッチ情報などの情報である。ＡＰに関する変更情報をＡＰ差分情報と称し、ＡＰインストール後にＡＰを更新した情報、例えば追加でインストールまたは削除されたアプリケーションの情報やアプリケーションが生成／削除するファイル情報やパッチ情報などの情報である。
【００３２】
ＯＳ差分情報取得手段１４２は、外部記憶装置１３等に登録されている差分情報の中からＯＳに関する差分情報を抽出して取得し、ＯＳ差分情報１５として外部記憶装置１３等に保持する（図３参照）。
【００３３】
ＡＰ差分情報取得手段１４３は、外部記憶装置１３等に登録されている差分情報の中からＡＰに関する差分情報を抽出して取得し、ＡＰ差分情報１６として外部記憶装置１３等に保持する（図３参照）。
【００３４】
差分情報送信手段１４４は、外部記憶装置１３等からＯＳ差分情報１５とＡＰ差分情報１６とを読み出して計算機３に送信する。
【００３５】
計算機２は、プログラム制御で動作し、主記憶装置２１と、中央演算処理装置２２と、外部記憶装置２３とを含み、差分情報管理エージェント２４を有している。また、計算機２は、計算機３から配布（送信）されたソフトウェア（ＯＳあるいはＡＰ）を受信してインストールするインストール手段（図示せず）を有している。
【００３６】
主記憶装置２１と中央演算処理装置２２と外部記憶装置２３とは、計算機１のそれらと同等の機能を有する。
【００３７】
差分情報管理エージェント２４は、図２に示すように、差分情報管理手段２４１と、ＯＳ差分情報取得手段２４２と、ＡＰ差分情報取得手段２４３と、差分情報送信手段２４４とを備えている。差分情報管理エージェント２４は、差分情報管理エージェント１４と同等の機能を有し、ＯＳ差分情報２５とＡＰ差分情報２６とを抽出して取得し（図３参照）、計算機３に送信する。
【００３８】
計算機３は、プログラム制御で動作し、主記憶装置３１と、中央演算処理装置３２と、外部記憶装置３３とを含み、差分情報管理マネージャ３４とＯＳマスタイメージ３５とＡＰマスタセット３６とを有している。
【００３９】
主記憶装置３１は、中央演算処理装置３２によって実行されるプログラムや各種データ等を格納する。
【００４０】
中央演算処理装置３２は、計算機３全体を制御する。
【００４１】
外部記憶装置３３は、主記憶装置３１の補助記憶として機能し、例えば磁気ディスク装置等である。
【００４２】
差分情報管理マネージャ３４は、図２に示すように、差分情報管理手段３４１と、ＯＳイメージ配布手段３４２と、ＡＰセット配布手段３４３と、差分情報受信手段３４４と、差分情報反映手段３４５と、共通差分情報取得手段３４６と、共通差分情報反映手段３４７とを備えている。
【００４３】
差分情報管理手段３４１は、差分情報受信手段３４４から渡されたＯＳ差分情報１５およびＡＰ差分情報１６ならびにＯＳ差分情報２５およびＡＰ差分情報２６を外部記憶装置３３に登録し管理する。
【００４４】
ＯＳイメージ配布手段３４２は、ＯＳイメージを作成し、計算機１あるいは計算機２に対して配布する。
【００４５】
ＡＰセット配布手段３４３は、ＡＰセットを作成し、計算機１あるいは計算機２に対して配布する。
【００４６】
差分情報受信手段３４４は、計算機１からＯＳ差分情報１５およびＡＰ差分情報１６ならびに計算機２からＯＳ差分情報２５およびＡＰ差分情報２６を受信し（図４参照）、外部記憶装置３３等に格納する。
【００４７】
差分情報反映手段３４５は、ＯＳ更新イメージ３７に対し、ＯＳ固有差分情報３５２を反映して計算機１上で稼動していたものと等価のＯＳイメージ３９を作成する（図１０参照）。あるいは、ＯＳ更新イメージ３７に対し、ＯＳ固有差分情報３５３を反映して計算機２上で稼動していたものと等価のＯＳイメージを作成する。更に、ＡＰ更新セット３８に対し、ＡＰ固有差分情報３６２を反映して計算機１上で稼動していたものと等価のＡＰセット４０を作成する（図１０参照）。あるいは、ＡＰ更新セット３８に対し、ＡＰ固有差分情報３６３を反映して計算機２上で稼動していたものと等価のＡＰセットを作成する。
【００４８】
共通差分情報取得手段３４６は、２つの計算機の差分情報を比較し、共通差分情報と固有差分情報とに分ける。例えば、外部記憶装置３３等からＯＳ差分情報１５およびＯＳ差分情報２５を読み出す。そして、ＯＳ差分情報１５とＯＳ差分情報２５とを比較し、計算機１と計算機２とに共通なＯＳ共通差分情報３５１と、計算機１に固有なＯＳ固有差分情報３５２と、計算機２に固有なＯＳ固有差分情報３５３とに分けて外部記憶装置３３等に保存する（図５参照）。また、ＡＰ差分情報１６とＡＰ差分情報２６とを比較し、計算機１と計算機２とに共通なＡＰ共通差分情報３６１と、計算機１に固有なＡＰ固有差分情報３６２と、計算機２に固有なＡＰ固有差分情報３６３とに分けて外部記憶装置３３等に保存する（図５参照）。
【００４９】
共通差分情報反映手段３４７は、ＯＳマスタイメージ３５に対しＯＳ共通差分情報３５１を反映してＯＳ更新イメージ３７を作成し保存する（図７参照）。例えばＯＳマスタイメージ３５にＯＳ共通差分情報であるパッチ情報を上書きして保存する。また、ＡＰマスタセット３６に対しＡＰ共通差分情報３６１を反映してＡＰ更新セット３８を作成し保存する（図７参照）。更に、ＯＳ更新イメージ３７に対しＯＳ共通差分情報３５１を反映してＯＳ更新イメージ３７を更新し保存する（図８参照）。また、ＡＰ更新セット３８に対しＡＰ共通差分情報３６１を反映してＡＰ更新セット３８を更新し保存する（図８参照）。
【００５０】
ＯＳマスタイメージ３５は、ＯＳのオブジェクトバイナリ（実行形式）マスタファイルである。ＯＳマスタイメージ３５は、外部記憶装置３３等に格納されている。計算機１および計算機２のＯＳは、ＯＳマスタイメージ３５をベースとしている。
【００５１】
ＡＰマスタセット３６は、ＡＰのオブジェクト（実行形式）マスタファイルとＡＰで使用するファイルを含んでいる。ＡＰマスタセット３６は、外部記憶装置３３等に格納されている。計算機１および計算機２のＡＰは、ＡＰマスタセット３６をベースとしている。
【００５２】
次に、本発明の第１の実施例の動作について、図面を用いて詳細に説明する。
【００５３】
先ず、計算機１および計算機２が差分情報を採取して計算機３が差分情報を格納するまでの動作について、図１〜図４および図１１を用いて詳細に説明する。
図１１は差分情報管理エージェントの動作の流れを示す図である。
【００５４】
計算機１の差分情報管理エージェント１４は、ＯＳ差分情報取得手段１４２およびＡＰ差分情報取得手段１４３を用い、あらかじめ定められた時間間隔で計算機１に格納されているオペレーティングシステムの差分情報（図３のＯＳ差分情報１５）およびアプリケーションの差分情報（図３のＡＰ差分情報１６）を取得する（図１１のステップＡ１〜ステップＡ２）。
【００５５】
このとき、差分情報管理手段１４１は、前回取得したＯＳ差分情報およびＡＰ差分情報との間に差分が生じない場合、ＯＳ差分情報１５およびＡＰ差分情報１６を更新しない。
【００５６】
差分情報送信手段１４４は、あらかじめ定められた時間間隔で、ＯＳ差分情報１５およびＡＰ差分情報１６を計算機３に送信する（図１１のステップＡ３）。
【００５７】
計算機３の差分情報管理マネージャ３４では、差分情報受信手段３４４によりＯＳ差分情報１５およびＡＰ差分情報１６を格納する（図４参照）。
【００５８】
同様に、計算機２も、ＯＳ差分情報２５およびＡＰ差分情報２６を採取し（図３参照）、計算機３に送信する。計算機３はＯＳ差分情報２５およびＡＰ差分情報２６を格納する（図４参照）。
【００５９】
次に、差分情報からＯＳ更新イメージとＡＰ更新セットを作成するまでの動作について、図１，図２，図５〜図９および図１２を用いて詳細に説明する。
図６は計算機３を説明する図である。
図９は計算機３を説明する図である。
図１２は差分情報管理マネージャの動作の流れを示す図である。
【００６０】
計算機３の共通差分情報取得手段３４６は、計算機１のＯＳ差分情報１５と計算機２のＯＳ差分情報２５との比較を行う（図１２のステップＢ１）。
【００６１】
計算機１と計算機２に共通なＯＳの差分情報（図５のＯＳ共通差分情報３５１）と計算機１に固有な差分情報（ＯＳ固有差分情報３５２）と計算機２に固有な差分情報（ＯＳ固有差分情報３５３）とを取得する（図１２のステップＢ２）。そして、計算機３に格納する（図６参照）。
【００６２】
同様に、共通差分情報取得手段３４６は、計算機１のＡＰ差分情報１６と計算機２のＡＰ差分情報２６との比較を行う（図１２のステップＢ３）。
【００６３】
計算機１と計算機２に共通なＡＰの差分情報（図５のＡＰ共通差分情報３６１）と計算機１に固有な差分情報（ＡＰ固有差分情報３６２）と計算機２に固有な差分情報（ＡＰ固有差分情報３６３）とを取得する（図１２のステップＢ４）。そして、計算機３に格納する（図６参照）。
【００６４】
共通差分情報取得手段３４６は、ＯＳのマスタイメージ３５に対しＯＳ共通差分情報３５１を反映させ、ＯＳ更新イメージ３７（図７参照）を作成する（図１２のステップＢ５）。そして、計算機３に格納する（図９参照）。
【００６５】
同様に、共通差分情報取得手段３４６は、ＡＰマスタセット３６に対しＡＰ共通差分情報３６１を反映させ、ＡＰ更新セット３８（図７参照）を作成する（図１２のステップＢ６）。そして、計算機３に格納する（図９参照）。
【００６６】
既に、計算機３上にＯＳ更新イメージ３７またはＡＰ更新セット３８が存在する場合は、共通差分情報取得手段３４６は、ＯＳ更新イメージ３７に対しＯＳ共通差分情報３５１を反映し、改めてＯＳ更新イメージ３７を更新する。
【００６７】
同様に、共通差分情報取得手段３４６は、ＡＰ更新セット３８に対しＡＰ共通差分情報３６１を反映し、ＡＰ更新セット３８も更新する（図８参照）。
【００６８】
次に、ＯＳイメージとＡＰセットを作成して配布するまでの動作について、図１，図２，図１０および図１３を用いて詳細に説明する。
図１３は差分情報管理マネージャの動作の流れを示す図である。
【００６９】
計算機１において何らかの障害が発生すると、計算機１は計算機３に通報する。差分情報管理マネージャ３４の差分情報反映手段３４５は、ＯＳ更新イメージ３７に対しＯＳ固有差分情報３５２を反映させる（図１３のステップＣ１）。そして、計算機１に格納されていたオペレーティングシステムの複製を作成する（図１０のＯＳイメージ３９）。
【００７０】
ＯＳイメージ配布手段３４２は、計算機１に対しＯＳイメージ３９を配布する（図１３のステップＣ２）。
【００７１】
差分情報反映手段３４５は、ＡＰ更新セット３８に対しＡＰ固有差分情報３６２を反映させる（図１３のステップＣ３）。そして、計算機１上で稼動していたアプリケーションセットを作成する（図１０のＡＰセット４０）。
【００７２】
ＡＰセット配布手段３４３は、計算機１に対しＡＰセット４０を配布する（図１３のステップＣ４）。
【００７３】
計算機１で障害が発生した場合、以上の処理を行なうことで、計算機１で稼動していたオペレーティングシステムとアプリケーションを復旧することができる。
【００７４】
また同様に、計算機２で障害が発生した場合には、計算機２は計算機３に通報する。差分情報反映手段３４５は、ＯＳ更新イメージ３７に対しＯＳ固有差分情報３５３を反映してＯＳイメージを作成する。ＯＳイメージ配布手段３４２は、計算機２に対しＯＳイメージを配布する。差分情報反映手段３４５は、ＡＰ更新セット３８に対しＡＰ固有差分情報３６３を反映してＡＰセットを作成する。ＡＰセット配布手段３４３は、計算機２に対しＡＰセットを配布する。
【００７５】
上記の処理を行うことで、計算機１あるいは計算機２において障害が発生した場合、計算機１あるいは計算機２上で稼動していたオペレーティングシステムとアプリケーション環境の復旧を、迅速に行なうことができる。以下のような効果を奏する。
【００７６】
第１の効果は、２つの計算機に対して適用可能なイメージファイルを作成することである。その第１の理由は、２つの計算機間で共通な差分情報を個々の計算機間で固有な差分情報とに分けるからである。その第２の理由は、２つの計算機間で常に共通な差分情報のみをイメージファイルに反映させるからである。
【００７７】
第２の効果は、アプリケーション環境の復旧を行なうことである。その理由は、稼動中のオペレーティングシステム環境とアプリケーション環境からの差分情報を分けて取得するからである。
【００７８】
第３の効果は、構成情報の追加／削除、あるいは構成情報ファイルの追加／削除といった変更点を差分情報として内包することにより、それらの管理／更新手段を別途用意する必要が無いことである。
【００７９】
次に、本発明の第２の実施例について説明する。
【００８０】
本発明の第２の実施例は、計算機４が新たに加わる点ならびに差分情報管理マネージャに最大差分情報取得手段５４６と最大差分情報反映手段５４７が加わる点で、第１の実施例と異なる。
【００８１】
先ず、本発明の第２の実施例の構成について、図１４および図２２を用いて詳細に説明する。
図１４は本発明の第２の実施例の構成を示す図である。
図２２は差分情報管理エージェント／マネージャの構成を示す図である。
【００８２】
図１４を参照すると、本発明の第２の実施例は、計算機１と、計算機２と、計算機４と、計算機５とを備えている。計算機１と計算機２と計算機４と計算機５とは、ネットワークで接続されている。なお、本例では、計算機５が配布装置であり、計算機１と計算機２と計算機４とが配布対象装置である。
【００８３】
計算機４は、主記憶装置４１と、中央演算処理装置４２と、外部記憶装置４３と、差分情報管理エージェント４４とを含んでいる。計算機４は、計算機１と同等の機能を有している。
【００８４】
計算機５は、主記憶装置３１と、中央演算処理装置３２と、外部記憶装置３３とを含み、差分情報管理マネージャ５４とＯＳマスタイメージ３５とＡＰマスタセット３６とを有している。
【００８５】
図２２を参照すると、差分情報管理エージェント４４は、差分情報管理手段４４１と、ＯＳ差分情報取得手段４４２と、ＡＰ差分情報取得手段４４３と、差分情報送信手段４４４とを備えている。
【００８６】
また、差分情報管理マネージャ５４は、差分情報管理手段３４１と、ＯＳイメージ配布手段３４２と、ＡＰセット配布手段３４３と、差分情報受信手段３４４と、差分情報反映手段３４５と、最大差分情報取得手段５４６と、最大差分情報反映手段５４７とを備えている。
【００８７】
次に、本発明の第２の実施例の動作について、図面を用いて詳細に説明する。
【００８８】
先ず、計算機１，計算機２および計算機４が差分情報を採取して計算機５が差分情報を格納するまでの動作について、図１１，図１４〜図１６および図２２を用いて詳細に説明する。
図１５は計算機１，計算機２および計算機４を説明する図である。
図１６は計算機５を説明する図である。
【００８９】
計算機１、計算機２および計算機４では、図１１に示すフローチャートに従い、ＯＳ差分情報１５とＡＰ差分情報１６，ＯＳ差分情報２５とＡＰ差分情報２６およびＯＳ差分情報４５とＡＰ差分情報４６を取得する（図１５参照）。そして、計算機５の差分情報管理マネージャ５４に送信する（図１６参照）。
【００９０】
次に、差分情報からＯＳ更新イメージとＡＰ更新セットを作成するまでの動作について、図１４，図１７〜図１９および図２１〜図２２を用いて詳細に説明する。
図１７は最大差分情報と固有差分情報を説明する図である。
図１８はＯＳ更新イメージとＡＰ更新セットを説明する図である。
図１９はＯＳ更新イメージとＡＰ更新セットを説明する図である。
図２１は差分情報管理マネージャの動作の流れを示す図である。
【００９１】
計算機５の最大差分情報取得手段５４６は、計算機１のＯＳ差分情報１５と計算機２のＯＳ差分情報２５と計算機４のＯＳ差分情報４５との比較を行う（図２１のステップＤ１）。
【００９２】
計算機１と計算機２と計算機４との間で最も変更量の多いＯＳの差分情報（図１７のＯＳ最大差分情報５５１）と計算機１に固有な差分情報（図１７のＯＳ固有差分情報５５２）と計算機２に固有な差分情報（図１７のＯＳ固有差分情報５５３）と計算機４に固有な差分情報（図１７のＯＳ固有差分情報５５４）とを取得する（図２１のステップＤ２）。そして、計算機５に格納する。
【００９３】
同様に、最大差分情報取得手段５４６は、計算機１のＡＰ差分情報１６と計算機２のＡＰ差分情報２６と計算機４のＡＰ差分情報４６との比較を行う（図２１のステップＤ３）。
【００９４】
計算機１と計算機２と計算機４との間で最も変更量の多いＡＰの差分情報（図１７のＡＰ最大差分情報５６１）と計算機１に固有な差分情報（図１７のＡＰ固有差分情報５６２）と計算機２に固有な差分情報（図１７のＡＰ固有差分情報５６３）と計算機４に固有な差分情報（図１７のＡＰ固有差分情報５６４）とを取得する（図２１のステップＤ４）。そして、計算機５に格納する。
【００９５】
最大差分情報反映手段５４７は、ＯＳマスタイメージ３５に対しＯＳ最大差分情報５５１を反映させ、ＯＳ更新イメージ５７を作成する（図２１のステップＤ５、図１８参照）。そして、計算機５に格納する。
【００９６】
同様に、最大差分情報反映手段５４７は、ＡＰマスタセット３６に対しＡＰ最大差分情報５６１を反映させ、ＡＰ更新セット５８を作成する（図２１のステップＤ６、図１８参照）。そして、計算機５に格納する。
【００９７】
既に、計算機５上にＯＳ更新イメージ５７またはＡＰ更新セット５８が存在する場合は、ＯＳ更新イメージ５７に対しＯＳ最大差分情報５５１を反映し、改めてＯＳ更新イメージ５７を更新する（図１９参照）。
【００９８】
同様に、ＡＰ更新セット５８に対しＡＰ最大差分情報５６１を反映し、ＡＰ更新セット５８も更新する（図１９参照）。
【００９９】
次に、ＯＳイメージとＡＰセットを作成して配布するまでの動作について、図１３〜図１４，図２０および図２２を用いて詳細に説明する。
図２０はＯＳイメージとＡＰセットを説明する図である。
【０１００】
例えば、計算機４において何らかの障害が発生すると、計算機４は計算機５に通報する。差分情報管理マネージャ５４の差分情報反映手段３４５は、ＯＳ更新イメージ５７に対しＯＳ固有差分情報５５４を反映する（図１３のステップＣ１）。そして、計算機４に格納されていたオペレーティングシステムの複製を作成する（図２０のＯＳイメージ５７１）。
【０１０１】
ＯＳイメージ配布手段３４２は、計算機４に対し、ＯＳイメージ５７１を配布する（図１３のステップＣ２）。
【０１０２】
差分情報反映手段３４５は、ＡＰ更新セット５８に対しＡＰ固有差分情報５６４を反映する（図１３のステップＣ３）。そして、計算機４上で稼動していたアプリケーションセットを作成する（図２０のＡＰセット５８１）。
【０１０３】
ＡＰセット配布手段３４３は、計算機４に対し、ＡＰセット５８１を配布する（図１３のステップＣ４）。
【０１０４】
計算機４で障害が発生した場合、以上の処理を行なうことで計算機４で稼動していたオペレーティングシステムとアプリケーションを復旧することができる。
【０１０５】
本実施例で説明したように、配布の対象となる計算機がＮ個となっても、複数の計算機間で生じる差分情報の最大変更情報を、常にマスタイメージに対し更新することで固有差分情報の反映処理の低減をはかることができる。
【０１０６】
次に、本発明の第３の実施例について説明する。
【０１０７】
先ず、本発明の第３の実施例の構成について、図２および図２３を用いて詳細に説明する。
図２３は本発明の第３の実施例の構成を示す図である。
【０１０８】
図２３を参照すると、本発明の第３の実施例は、計算機１と、計算機２と、計算機４と、計算機３とを備えている。計算機１と計算機２と計算機４と計算機３とは、ネットワークで接続されている。なお、本例では、計算機３が配布装置であり、計算機１と計算機２と計算機４とが配布対象装置である。
【０１０９】
次に、本発明の第３の実施例の動作について、図面を用いて詳細に説明する。
【０１１０】
先ず、差分情報からＯＳ更新イメージとＡＰ更新セットを作成するまでの動作について、図２，図１２，図２３〜図２５，図２７〜図２８および図３０を用いて詳細に説明する。
図２４は共通差分情報と固有差分情報を説明する図である。
図２５はＯＳ更新イメージを説明する図である。
図２７はＯＳ更新イメージを説明する図である。
図２８はＡＰ更新セットを説明する図である。
図３０はＡＰ更新セットを説明する図である。
【０１１１】
なお、計算機３は、計算機１からＯＳ差分情報１５とＡＰ差分情報１６とを、計算機２からＯＳ差分情報２５とＡＰ差分情報２６とを、計算機４からＯＳ差分情報４５とＡＰ差分情報４６とを受信して、外部記憶装置３３等に保持しているものとする。
【０１１２】
計算機３の共通差分情報取得手段３４６は、計算機１のＯＳ差分情報１５と計算機２のＯＳ差分情報２５との比較を行う（図１２のステップＢ１）。
【０１１３】
計算機１と計算機２に共通なＯＳの差分情報（ＯＳ共通差分情報３５１）と計算機１に固有な差分情報（ＯＳ固有差分情報３５２）と計算機２に固有な差分情報（ＯＳ固有差分情報３５３）とを取得する（図１２のステップＢ２、図２４参照）。そして、計算機３に格納する。
【０１１４】
同様に、共通差分情報取得手段３４６は、計算機２のＯＳ差分情報２５と計算機４のＯＳ差分情報４５との比較を行う（図１２のステップＢ１）。
【０１１５】
計算機２と計算機４に共通なＯＳの差分情報（ＯＳ共通差分情報３５４）と計算機２に固有な差分情報（ＯＳ固有差分情報３５５）と計算機４に固有な差分情報（ＯＳ固有差分情報３５６）とを取得する（図１２のステップＢ２、図２４参照）。そして、計算機３に格納する。
【０１１６】
共通差分情報取得手段３４６は、計算機１のＡＰ差分情報１６と計算機２のＡＰ差分情報２６の比較を行う（図１２のステップＢ３）。
【０１１７】
計算機１と計算機２に共通なＡＰの差分情報（ＡＰ共通差分情報３６１）と計算機１に固有な差分情報（ＡＰ固有差分情報３６２）と計算機２に固有な差分情報（ＡＰ固有差分情報３６３）とを取得する（図１２のステップＢ４、図２４参照）。そして、計算機３に格納する。
【０１１８】
同様に、共通差分情報取得手段３４６は、計算機２のＡＰ差分情報２６と計算機４のＡＰ差分情報４６の比較を行う（図１２のステップＢ３）。
【０１１９】
計算機２と計算機４に共通なＡＰの差分情報（ＡＰ共通差分情報３６４）と計算機２に固有な差分情報（ＡＰ固有差分情報３６５）と計算機４に固有な差分情報（ＡＰ固有差分情報３６６）とを取得する（図１２のステップＢ４、図２４参照）。そして、計算機３に格納する。
【０１２０】
共通差分情報反映手段３４７は、ＯＳマスタイメージ３５に対し、ＯＳ共通差分情報３５１を反映してＯＳ更新イメージ３７０を作成し、ＯＳ共通差分情報３５４を反映してＯＳ更新イメージ３７１を作成する（図２１のステップＢ５、図２５参照）。そして、計算機３に格納する。
【０１２１】
同様に、共通差分情報反映手段３４７は、ＡＰマスタセット３６に対し、ＡＰ共通差分情報３６１を反映してＡＰ更新セット３８０を作成し、ＡＰ共通差分情報３６４を反映してＡＰ更新セット３８１を作成する（図２１のステップＢ６、図２８参照）。そして、計算機３に格納する。
【０１２２】
既に、計算機３上にＯＳ更新イメージ３７０またはＯＳ更新セット３７１が存在する場合、共通差分情報反映手段３４７は、ＯＳ更新イメージ３７０に対しＯＳ共通差分情報３５１を反映してＯＳ更新イメージ３７０を更新し、ＯＳ更新イメージ３７１に対しＯＳ共通差分情報３５４を反映してＯＳ更新イメージ３７１を更新する（図２７参照）。
【０１２３】
同様に、計算機３上にＡＰ更新セット３８０またはＡＰ更新セット３８１が存在する場合、共通差分情報反映手段３４７は、ＡＰ更新セット３８０に対しＡＰ共通差分情報３６１を反映してＡＰ更新セット３８０を更新し、ＡＰ更新セット３８１に対しＡＰ共通差分情報３６４を反映してＡＰ更新セット３８１を更新する（図３０参照）。
【０１２４】
次に、ＯＳイメージとＡＰセットを作成して配布するまでの動作について、図２，図１３，図２３，図２６および図２９を用いて詳細に説明する。
図２６はＯＳイメージを説明する図である。
図２９はＡＰセットを説明する図である。
【０１２５】
例えば、計算機１と計算機４において何らかの障害が発生すると、差分情報管理マネージャ３４の差分情報反映手段３４５は、ＯＳ更新イメージ３７０に対しＯＳ固有差分情報３５２を反映し、ＯＳ更新イメージ３７１に対しＯＳ固有差分情報３５６を反映する（図１３のステップＣ１）。そして、計算機１に格納されていたオペレーティングシステムの複製（図２６のＯＳイメージ３７２）と計算機４に格納されていたオペレーティングシステムの複製（図２６のＯＳイメージ３７３）を作成する。
【０１２６】
ＯＳイメージ配布手段３４２は、計算機１に対しＯＳイメージ３７２を配布し、計算機４に対しＯＳイメージ３７３を配布する（図１３のステップＣ２）。
【０１２７】
差分情報反映手段３４５は、ＡＰ更新セット３８０に対しＡＰ固有差分情報３６２を反映し、ＡＰ更新セット３８１に対しＡＰ固有差分情報３６６を反映する（図１３のステップＣ３）。そして、計算機１上で稼動していたアプリケーションセット（図２９のＡＰセット３８２）と計算機４上で稼動していたアプリケーションセット（図２９のＡＰセット３８３）を作成する。
【０１２８】
ＡＰセット配布手段３４３は、計算機１に対しＡＰセット３８２を配布し、計算機４に対しＡＰセット３８３を配布する（図１３のステップＣ４）。
【０１２９】
以上の処理を行なうことで、計算機１および計算機４で障害が発生した場合、複数のＯＳ更新イメージとＡＰ更新セットを計算機３上に保持しておくことにより、計算機１および計算機４で稼動していたオペレーティングシステムとアプリケーションを復旧することができる。
【０１３０】
本発明による上述した実施の形態において、配布装置の処理動作を実行するためのプログラム等を、データとして配布装置の磁気ディスクやＲＯＭ等の記録媒体（図示せず）に記録するようにし、記録されたデータを読み出して配布装置を動作させるために用いる。このように、本発明による配布装置を動作させるデータを記録媒体に記録させ、この記録媒体をインストールすることにより配布装置の機能が実現できるようになる。
【産業上の利用可能性】
【０１３１】
本発明によれば、一般に薄型サーバあるいはブレードサーバと呼称されるハードウェア構成をもったコンピュータが同一筐体内に多数搭載されている計算機システムに対するオペレーティングシステムおよびアプリケーションの再インストールの迅速化を実現するためのプログラムといった用途などに適用できる。
【図面の簡単な説明】
【０１３２】
【図１】本発明の第１の実施例の構成を示す図
【図２】差分情報管理エージェント／マネージャの構成を示す図
【図３】計算機１および計算機２を説明する図
【図４】計算機３を説明する図
【図５】共通差分情報と固有差分情報を説明する図
【図６】計算機３を説明する図
【図７】ＯＳ更新イメージとＡＰ更新セットを説明する図
【図８】ＯＳ更新イメージとＡＰ更新セットを説明する図
【図９】計算機３を説明する図
【図１０】ＯＳイメージとＡＰセットを説明する図
【図１１】差分情報管理エージェントの動作の流れを示す図
【図１２】差分情報管理マネージャの動作の流れを示す図
【図１３】差分情報管理マネージャの動作の流れを示す図
【図１４】本発明の第２の実施例の構成を示す図
【図１５】計算機１，計算機２および計算機４を説明する図
【図１６】計算機５を説明する図
【図１７】最大差分情報と固有差分情報を説明する図
【図１８】ＯＳ更新イメージとＡＰ更新セットを説明する図
【図１９】ＯＳ更新イメージとＡＰ更新セットを説明する図
【図２０】ＯＳイメージとＡＰセットを説明する図
【図２１】差分情報管理マネージャの動作の流れを示す図
【図２２】差分情報管理エージェント／マネージャの構成を示す図
【図２３】本発明の第３の実施例の構成を示す図
【図２４】共通差分情報と固有差分情報を説明する図
【図２５】ＯＳ更新イメージを説明する図
【図２６】ＯＳイメージを説明する図
【図２７】ＯＳ更新イメージを説明する図
【図２８】ＡＰ更新セットを説明する図
【図２９】ＡＰセットを説明する図
【図３０】ＡＰ更新セットを説明する図
【符号の説明】
【０１３３】
１    計算機
２    計算機
３    計算機
４    計算機
５    計算機
１１    主記憶装置
１２    中央演算処理装置
１３    外部記憶装置
１４    差分情報管理エージェント
１５    ＯＳ差分情報
１６    ＡＰ差分情報
２１    主記憶装置
２２    中央演算処理装置
２３    外部記憶装置
２４    差分情報管理エージェント
２５    ＯＳ差分情報
２６    ＡＰ差分情報
３１    主記憶装置
３２    中央演算処理装置
３３    外部記憶装置
３４    差分情報管理マネージャ
３５    ＯＳマスタイメージ
３６    ＡＰマスタセット
３７    ＯＳ更新イメージ
３８    ＡＰ更新セット
３９    ＯＳイメージ
４０    ＡＰセット
４１    主記憶装置
４２    中央演算処理装置
４３    外部記憶装置
４４    差分情報管理エージェント
４５    ＯＳ差分情報
４６    ＡＰ差分情報
５４    差分情報管理マネージャ
５７    ＯＳ更新イメージ
５８    ＡＰ更新セット
１４１    差分情報管理手段
１４２    ＯＳ差分情報取得手段
１４３    ＡＰ差分情報取得手段
１４４    差分情報送信手段
２４１    差分情報管理手段
２４２    ＯＳ差分情報取得手段
２４３    ＡＰ差分情報取得手段
２４４    差分情報送信手段
３４１    差分情報管理手段
３４２    ＯＳイメージ配布手段
３４３    ＡＰセット配布手段
３４４    差分情報受信手段
３４５    差分情報反映手段
３４６    共通差分情報取得手段
３４７    共通差分情報反映手段
３５１    ＯＳ共通差分情報
３５２    ＯＳ固有差分情報
３５３    ＯＳ固有差分情報
３５４    ＯＳ共通差分情報
３５５    ＯＳ固有差分情報
３５６    ＯＳ固有差分情報
３６１    ＡＰ共通差分情報
３６２    ＡＰ固有差分情報
３６３    ＡＰ固有差分情報
３６４    ＡＰ共通差分情報
３６５    ＡＰ固有差分情報
３６６    ＡＰ固有差分情報
３７０    ＯＳ更新イメージ
３７１    ＯＳ更新イメージ
３７２    ＯＳイメージ
３７３    ＯＳイメージ
３８０    ＡＰ更新セット
３８１    ＡＰ更新セット
３８２    ＡＰセット
３８３    ＡＰセット
４４１    差分情報管理手段
４４２    ＯＳ差分情報取得手段
４４３    ＡＰ差分情報取得手段
４４４    差分情報送信手段
５４６    最大差分情報取得手段
５４７    最大差分情報反映手段
５５１    ＯＳ最大差分情報
５５２    ＯＳ固有差分情報
５５３    ＯＳ固有差分情報
５５４    ＯＳ固有差分情報
５６１    ＡＰ最大差分情報
５６２    ＡＰ固有差分情報
５６３    ＡＰ固有差分情報
５６４    ＡＰ固有差分情報
５７１    ＯＳイメージ
５８１    ＡＰセット
【図１】
2006011781.tif 000003
【図２】
2006011781.tif 000004
【図３】
2006011781.tif 000005
【図４】
2006011781.tif 000006
【図５】
2006011781.tif 000007
【図６】
2006011781.tif 000008
【図７】
2006011781.tif 000009
【図８】
2006011781.tif 000010
【図９】
2006011781.tif 000011
【図１０】
2006011781.tif 000012
【図１１】
2006011781.tif 000013
【図１２】
2006011781.tif 000014
【図１３】
2006011781.tif 000015
【図１４】
2006011781.tif 000016
【図１５】
2006011781.tif 000017
【図１６】
2006011781.tif 000018
【図１７】
2006011781.tif 000019
【図１８】
2006011781.tif 000020
【図１９】
2006011781.tif 000021
【図２０】
2006011781.tif 000022
【図２１】
2006011781.tif 000023
【図２２】
2006011781.tif 000024
【図２３】
2006011781.tif 000025
【図２４】
2006011781.tif 000026
【図２５】
2006011781.tif 000027
【図２６】
2006011781.tif 000028
【図２７】
2006011781.tif 000029
【図２８】
2006011781.tif 000030
【図２９】
2006011781.tif 000031
【図３０】
2006011781.tif 000032